(57)【要約】【課題】男性用の和服をよりコンパクトに持ち運べる運搬手段を提供する。【解決手段】和服を持ち運ぶ際に用いられるホルダ１において、間に該和服を保管時と同様に畳んだ状態で挟持可能に設けられた１対の挟持板部２と、挟持板部２を、挟持板部２間の距離Ｌが調整可能に連結するための連結手段３，４と、を備え、挟持板部２が、その内面側にずれ防止部６を有しており、ずれ防止部６が、挟持板部２間に挟持された該和服がずれることを防止するために設けられているものとする。【選択図】図２
0003222887.tif 000002
【実用新案登録請求の範囲】
【請求項１】
和服を持ち運ぶ際に用いられるホルダであって、
間に該和服を保管時と同様に畳んだ状態で挟持可能に設けられた１対の挟持板部と、
該挟持板部を、該挟持板部間の距離が調整可能に連結するための連結手段と、を備え、
該挟持板部は、その内面側にずれ防止部を有しており、
該ずれ防止部は、該挟持板部間に挟持された該和服がずれることを防止するために設けられていることを特徴とするホルダ。
【請求項２】
前記連結手段は、弾性片及び／又はベルト部であることを特徴とする請求項１に記載のホルダ。
【考案の詳細な説明】
【技術分野】
【０００１】
本考案は、ホルダに関し、より詳細には、和服を持ち運ぶ際に用いられるホルダに関する。
【背景技術】
【０００２】
従来、着物等に代表される和服を持ち運ぶ際に用いられるバッグ（以下、着物バッグという）がある。この様な着物バッグは、持ち運びに際して、該和服が皺になることを防止できる様になっている。該着物バッグは、保管時と同様に畳んだ状態の該和服が皺にならない様に更に折畳まれた状態で該和服を該バッグ内に収容するものである（例えば、特許文献１を参照）。
【先行技術文献】
【特許文献】
【０００３】
【特許文献１】実用新案登録第３２０４１８７号公報
【考案の概要】
【考案が解決しようとする課題】
【０００４】
従来の着物バッグは、女性用の和服であれば、皺とならない様に更に折畳むことも可能であるため、皺にならない様に持ち運びが可能であるが、袴のある男性用の和服である場合、該袴は、保管時と同様に畳んだ状態から更に皺にならない様に折畳むことは困難であるため、従来の着物バッグでは、皺にならない様に持ち運ぶのは困難であった。
【０００５】
そのため、少なくとも男性用の和服を保管時と同様に畳んだ状態のまま持ち運べる運搬手段の開発が望まれている。一方、該運搬手段が嵩張ってしまうと、持ち運びに不便が生じてしまうため、該運搬手段には、可能な限りコンパクトであることが求められる。
【０００６】
そこで、本考案は、男性用の和服をよりコンパクトに持ち運べる運搬手段を提供することを目的とする。
【課題を解決するための手段】
【０００７】
本考案は、和服を持ち運ぶ際に用いられるホルダであって、間に該和服を保管時と同様に畳んだ状態で挟持可能に設けられた１対の挟持板部と、該挟持板部を、該挟持板部間の距離が調整可能に連結するための連結手段と、を備え、該挟持板部は、その内面側にずれ防止部を有しており、該ずれ防止部は、該挟持板部間に挟持された該和服がずれることを防止するために設けられていることを特徴とするホルダである。尚、本考案は、前記連結手段を、弾性片及び／又はベルト部とすることが可能である。
【考案の効果】
【０００８】
本考案は、バッグではなく、間に和服が挟持可能に設けられた１対の挟持板部を備え、該挟持板部の内面側がずれ防止部となっているホルダに和服を挟持するものとすることによって、和服を保管時と同様に畳んだ状態でよりコンパクトに持ち運ぶことが可能となっている。
【図面の簡単な説明】
【０００９】
【図１】本考案の実施形態の斜視図であり、和服を挟持する前の様子を示す図である。
【図２】本考案の実施形態の斜視図であり、和服を挟持した後の様子を示す図である。
【図３】本考案の実施形態の縮小正面図であり、持ち運ぶ際の様子を示す図である。
【考案を実施するための形態】
【００１０】
本考案の実施形態を図１乃至図３に基づき説明する。ホルダ１は、１対の挟持板部２を備えており、挟持板部２間に、和服、例えば、袴を含む男性用の和服（図示せず）を挟持可能に設けられている。又、ホルダ１には、挟持板部２を連結し、挟持板部２間に該和服が挟持された状態を保持するための連結手段の一例である弾性片３と及びベルト部４を更に備えている。
【００１１】
挟持板部２は、少なくとも前記和服を、保管時と同様に畳んだ状態で挟持可能な大きさに設けられており、本実施形態においては、略矩形を成している。又、挟持板部２は、外面側に設けられた保形部５と、内面側に設けられたずれ防止部６と、を有している。
【００１２】
保形部５は、ホルダ１の形状を保持するために設けられており、ホルダ１で前記和服を挟持して持ち運ぶ際に、通常掛り得るであろう力によっては変形しない程度の剛性を有している。本実施形態において、保形部５の表面側、即ち、挟持板部２の外面側、には、帯等の平坦なものを巻き付ける等して、保形部５上に保持して持ち運ぶための保持部の一例であるバンド部７が設けられており、バンド部７は、両端が保形部５に縫着されている。
【００１３】
ずれ防止部６は、挟持板部２間に挟持された前記和服を、持ち運びの間に位置がずれることを防止するために設けられており、本実施形態においては、スポンジによって形成されている。
【００１４】
１対の挟持板部２は、弾性片３及びベルト部４によって、挟持される前記和服の厚さや枚数等に応じて、ホルダ１の厚さを調整することが可能となる様に、挟持板部２間の距離Ｌが調整可能に連結されている。弾性片３は、伸縮可能に設けられていると共に挟持板部２を橋絡する様に縫着されている。
【００１５】
ベルト部４は、挟持板部２の一方（本実施形態においては、挟持板部２Ｂ）に縫着されており、挟持板部２の他方（本実施形態においては、挟持板部２Ａ）に着脱自在に結合可能に設けられている。本実施形態においては、ベルト部４は、挟持板部２Ａのバンド部７に縫着されており、面ファスナ８の一方のシート８ａが設けられると共に挟持板部２Ａ側に面ファスナ８の他方のシート８ｂを設けることで、ベルト部４を挟持板部２Ａに着脱自在に結合可能としていると共にシート８ａとシート８ｂと結合位置を変えることにより、挟持される前記和服の厚さに応じた位置で挟持板部２を固定できる様になっている。
【００１６】
ホルダ１は、ベルト部４と挟持板部２Ａとの結合を解除して、挟持板部２によって、前記和服を挟持すると共にベルト部４と挟持板部２Ａとを再度結合することで、該和服がホルダ１内に保持される様になっている。この際、弾性片３は、挟持板部２間に挟持される前記和服の厚さに応じて伸びる様になっており、ベルト部４を適切な位置で挟持板部２Ａと結合させることで、該和服は挟持板部２間に挟持された状態を維持できる様になっており、又、ずれ防止部６によって、該和服が、その位置からずれることが防止される様になっている。
【００１７】
ホルダ１ごと前記和服をバッグＢに入れることで、該和服を持ち運べる様になっている。ホルダ１の形状は、保形部５によって保持される様になっているため、バッグＢ側に然程剛性を求める必要がなく、例えば、ビニール等の比較的薄い材質のバッグＢでも該和服を皺になることを防止しつつ持ち運びできる様になっている。又、バッグＢが、ホルダ１よりも一回り大きなバッグであれば、ホルダ１と他の荷物とを一のバッグで持ち運ぶことも可能となる。
【００１８】
従って、本実施形態のホルダ１を用いることで、前記和服を、皺になることを防止しつつよりコンパクトに持ち運ぶことが可能である。
【００１９】
本考案を、上記実施形態によって説明したが、本考案は、上記実施形態に限定されるものではなく、考案の要旨を変更しない限り、適宜変更可能である。
【００２０】
例えば、（１）上記実施形態においては、ベルト部４を面ファスナ８によって着脱自在とすることで、挟持板部２間の距離を調整可能なものとしたが、他の手段、例えば、ベルト部４にアジャスタ等を設けて、挟持板部２間の距離を調整可能なものとしてもよい。
【００２１】
（２）上記実施形態においては、ベルト部４と弾性片３とで挟持板部２間の距離を調整可能なものとしたが、弾性片３側もベルト部４とすることも可能である。
【００２２】
（３）上記実施形態においては、ホルダ１を弾性片３及びベルト部４を高さ方向（上下方向）に位置させた状態（例えば、図３に示す様な状態）で持ち運ぶ様にしたが、弾性片３及びベルト部４が水平方向（左右方向）に位置させた状態（例えば、図３を90°回転させた様な状態）で持ち運ぶ様にすることも可能である。
【００２３】
（４）上記実施形態においては、弾性片３及びベルト部４を挟持板部２の一方の対辺側にだけに設けたが、挟持板部２の他方の対辺側にも弾性片３及び／又はベルト部４を設けることも可能である。この様にすることで、挟持板部２の一方の対辺側を高さ方向に位置させた状態（例えば、図３に示す様な状態）でホルダ１を持ち運ぶ場合であっても、挟持板部２の他方の対辺側を高さ方向に位置させた状態（例えば、図３を90°回転させた様な状態）で持ち運ぶ場合であっても、より確実に挟持板部２によって挟持された和服がずれることを防止できる様になる。
【００２４】
（５）本実施形態のホルダ１は、男性用の和服の持ち運びに用いることができることは、勿論のこと、女性用の和服の持ち運びにも用いることが可能である。
【符号の説明】
【００２５】
１    ホルダ        ２    挟持板部      ３    弾性片        ４    ベルト部
５    保形部        ６    ずれ防止部    ７    バンド部      ８    面ファスナ
８ａ  シート        ８ｂ  シート        Ｂ    バッグ        Ｌ    距離
【図１】
0003222887.tif 000003
【図２】
0003222887.tif 000004
【図３】
0003222887.tif 000005